(57)【特許請求の範囲】
【請求項１】
製本の形態に関する製本情報を取得する製本情報取得部と、
前記製本情報取得部により取得された前記製本情報にて特定されるフォーマットの台割表を模擬する台割表画面、及び前記台割表に則った面付け配置を模擬する面付け画面を作成する画面作成部と、
前記画面作成部により作成された前記台割表画面及び前記面付け画面を同時に表示する表示部と
を備え、
前記画面作成部は、ユーザによる操作に応じて、前記表示部に表示されている前記台割表画面内の項目内容及び前記面付け画面内の描画内容のうちのいずれか一方の変更を受け付けた場合、該変更を同時に反映させた前記台割表画面及び前記面付け画面を作成し、前記フォーマットの部分集合であるサブフォーマットの台割表を模擬する前記台割表画面を作成する
ことを特徴とする台割表決定装置。
【請求項２】
請求項１記載の台割表決定装置において、
前記画面作成部は、カラーチャンネル、パーツの種類、又は、印刷媒体の種類、重量、サイズ若しくは厚さのうち少なくとも２つのキー項目で構成される前記サブフォーマットの前記台割表画面を作成することを特徴とする台割表決定装置。
【請求項３】
請求項１又は２記載の台割表決定装置において、
前記表示部に表示されている前記項目内容を取得し、前記台割表を示すテーブルデータを生成する台割テーブル生成部を更に備えることを特徴とする台割表決定装置。
【請求項４】
製本の形態に関する製本情報を取得する取得ステップと、
取得された前記製本情報にて特定されるフォーマットの台割表を模擬する台割表画面、及び前記台割表に則った面付け配置を模擬する面付け画面を作成する作成ステップと、
作成された前記台割表画面及び前記面付け画面を同時に表示する表示ステップと
をコンピュータに実行させ、
前記作成ステップでは、ユーザによる操作に応じて、表示されている前記台割表画面内の項目内容及び前記面付け画面内の描画内容のうちのいずれか一方の変更を受け付けた場合、該変更を同時に反映させた前記台割表画面及び前記面付け画面を作成し、前記フォーマットの部分集合であるサブフォーマットの台割表を模擬する前記台割表画面を作成する
ことを特徴とする台割表決定方法。
【請求項５】
製本の形態に関する製本情報を取得する取得ステップと、
取得された前記製本情報にて特定されるフォーマットの台割表を模擬する台割表画面、及び前記台割表に則った面付け配置を模擬する面付け画面を作成する作成ステップと、
作成された前記台割表画面及び前記面付け画面を同時に表示する表示ステップと
をコンピュータに実行させ、
前記作成ステップでは、ユーザによる操作に応じて、表示されている前記台割表画面内の項目内容及び前記面付け画面内の描画内容のうちのいずれか一方の変更を受け付けた場合、該変更を同時に反映させた前記台割表画面及び前記面付け画面を作成し、前記フォーマットの部分集合であるサブフォーマットの台割表を模擬する前記台割表画面を作成する
ことを特徴とする台割表決定プログラム。
【発明の詳細な説明】
【技術分野】
【０００１】
この発明は、印刷物のページ構成を示す台割表を決定する台割表決定装置、方法及びプログラムに関する。
【背景技術】
【０００２】
近時、印刷分野において、ＤＴＰ（DeskTop Publishing）やＣＴＰ（Computer To Plate）の普及により、印刷物の生産工程が全体的にデジタル化されつつある。例えば、印刷物のページ構成を示す台割表を電子的に作成・編集する技術が提案されている（特許文献１参照）。
【０００３】
また、特許文献２及び３では、台割表のみならず、この台割表に則った面付け配置を示す面付け画像を更に表示する技術が提案されている。具体的には、特許文献２の段落［００５７］〜［００５９］には、所定の指示操作に応じて、台割表画面と面付け画面を切り替えて表示する旨が記載されている。
【先行技術文献】
【特許文献】
【０００４】
【特許文献１】特開２００３−２７０７７１号公報（図２）
【特許文献２】特開２０００−１４８７４４号公報（図９、段落［００５７］〜［００５９］）
【特許文献３】特開平１１−１１０４５３号公報（図１３、図１５）
【発明の概要】
【発明が解決しようとする課題】
【０００５】
ところで、印刷会社に属する生産部門（下流工程）の担当者は、台割表の内容から面付け配置を具体的に想像できるし、逆に、面付け配置から台割表の内容を容易に導くこともできる場合が多い。一方、営業・企画部門（上流工程）において、台割表及び面付け配置に関する個別の知識があるものの、台割表の作成が苦手である担当者も少なからず存在する。
【０００６】
しかしながら、特許文献１〜３で提案された技術では、台割表及び面付け配置の対応関係を直感的に把握し難く、台割表の取扱いが苦手なユーザにとって必ずしも使い勝手がよいとは言えなかった。
【０００７】
本発明は上記した課題を解決するためになされたものであり、台割表の取扱いが苦手なユーザに対して作成支援が可能な台割表決定装置、方法及びプログラムを提供することを目的とする。
【課題を解決するための手段】
【０００８】
本発明に係る台割表決定装置は、製本の形態に関する製本情報を取得する製本情報取得部と、上記製本情報取得部により取得された上記製本情報にて特定されるフォーマットの台割表を模擬する台割表画面、及び上記台割表に則った面付け配置を模擬する面付け画面を作成する画面作成部と、上記画面作成部により作成された上記台割表画面及び上記面付け画面を同時に表示する表示部とを備え、上記画面作成部は、ユーザによる操作に応じて、上記表示部に表示されている上記台割表画面内の項目内容及び上記面付け画面内の描画内容のうちのいずれか一方の変更を受け付けた場合、該変更を同時に反映させた上記台割表画面及び上記面付け画面を作成し、上記フォーマットの部分集合であるサブフォーマットの台割表を模擬する上記台割表画面を作成する。
【０００９】
このように、ユーザによる操作に応じて、同時に表示されている台割表画面内の項目内容及び面付け画面内の描画内容のうちのいずれか一方の変更を受け付けた場合、該変更を同時に反映させた台割表画面及び面付け画面を作成するので、ユーザは、台割表及び面付け配置を一度に視認することで、両者の対応関係を直感的に把握できると共に、両者の変更結果を逐次に把握できる。これにより、台割表の取扱いが苦手なユーザに対して作成の支援ができる。
【００１１】
また、上記画面作成部は、カラーチャンネル、パーツの種類、又は、印刷媒体の種類、重量、サイズ若しくは厚さのうち少なくとも２つのキー項目で構成される上記サブフォーマットの上記台割表画面を作成することが好ましい。
【００１２】
また、上記表示部に表示されている上記項目内容を取得し、上記台割表を示すテーブルデータを生成する台割テーブル生成部を更に備えることが好ましい。
【００１３】
本発明に係る台割表決定方法は、製本の形態に関する製本情報を取得する取得ステップと、取得された上記製本情報にて特定されるフォーマットの台割表を模擬する台割表画面、及び上記台割表に則った面付け配置を模擬する面付け画面を作成する作成ステップと、作成された上記台割表画面及び上記面付け画面を同時に表示する表示ステップとをコンピュータに実行させ、上記作成ステップでは、ユーザによる操作に応じて、表示されている上記台割表画面内の項目内容及び上記面付け画面内の描画内容のうちのいずれか一方の変更を受け付けた場合、該変更を同時に反映させた上記台割表画面及び上記面付け画面を作成し、上記フォーマットの部分集合であるサブフォーマットの台割表を模擬する上記台割表画面を作成する。
【００１４】
本発明に係る台割表決定プログラムは、製本の形態に関する製本情報を取得する取得ステップと、取得された上記製本情報にて特定されるフォーマットの台割表を模擬する台割表画面、及び上記台割表に則った面付け配置を模擬する面付け画面を作成する作成ステップと、作成された上記台割表画面及び上記面付け画面を同時に表示する表示ステップとをコンピュータに実行させ、上記作成ステップでは、ユーザによる操作に応じて、表示されている上記台割表画面内の項目内容及び上記面付け画面内の描画内容のうちのいずれか一方の変更を受け付けた場合、該変更を同時に反映させた上記台割表画面及び上記面付け画面を作成し、上記フォーマットの部分集合であるサブフォーマットの台割表を模擬する上記台割表画面を作成する。
【発明の効果】
【００１５】
本発明に係る台割表決定装置、方法及びプログラムによれば、ユーザによる操作に応じて、同時に表示されている台割表画面内の項目内容及び面付け画面内の描画内容のうちのいずれか一方の変更を受け付けた場合、該変更を同時に反映させた台割表画面及び面付け画面を作成するので、ユーザは、台割表及び面付け配置を一度に視認することで、両者の対応関係を直感的に把握できると共に、両者の変更結果を逐次に把握できる。これにより、台割表の取扱いが苦手なユーザに対して作成の支援ができる。
【図面の簡単な説明】
【００１６】
【図１】この実施形態に係る台割表決定装置としての営業側端末装置が組み込まれた印刷物生産システムの全体構成図である。
【図２】図１に示す営業側端末装置の電気ブロック図である。
【図３】図１及び図２に示す営業側端末装置の動作説明に供されるフローチャートである。
【図４】第１入力画面を示す画像図である。
【図５】第２入力画面を示す画像図である。
【図６】台割表画面を示す画像図である。
【図７】面付け画面を示す画像図である。
【図８】台割表編集画面を示す画像図である。
【図９】台割表編集画面の第１遷移図である。
【図１０】台割表編集画面の第２遷移図である。
【図１１】台割表編集画面の第３遷移図である。
【図１２】台割表編集画面の第４遷移図である。
【発明を実施するための形態】
【００１７】
以下、本発明に係る台割表決定方法について、それを実施する台割表決定装置及び台割表決定プログラムとの関係において好適な実施形態を挙げ、添付の図面を参照しながら詳細に説明する。
【００１８】
［印刷物生産システム１０の全体構成］
図１は、この実施形態に係る台割表決定装置としての営業側端末装置２２が組み込まれた印刷物生産システム１０の全体構成図である。印刷物生産システム１０は、印刷会社内の営業部門が管轄する営業サイト１２と、生産部門が管轄する印刷サイト１４との間で、ＬＡＮ（Local Area Network）或いはＷＡＮ（Wide Area Network）等のネットワーク１６を介して構築されたシステムである。
【００１９】
営業サイト１２内には、ネットワーク１６とＬＡＮ１８との間の接続を中継する機器であるルータ２０と、営業担当者が取り扱う営業側端末装置２２と、制作物（ここでは、印刷物４０）の受注情報を管理する受注サーバ２４とがそれぞれ配置されている。営業側端末装置２２及び受注サーバ２４は、営業サイト１２内に構築されたＬＡＮ１８を介して相互に通信可能に接続されている。
【００２０】
受注サーバ２４は、受注情報の他、印刷会社の経営情報を逐次管理するＭＩＳ（Management Information System）サーバである。本図例では、受注サーバ２４は、第１サーバ本体２６と、第１サーバ本体２６に接続された第１ストレージ装置２８とから構成される。
【００２１】
第１ストレージ装置２８には、例えば、受注、販売、営業、見積り、大日程計画、中日程計画、小日程計画、入出庫、在庫、仕入れ、原価等の種々の管理情報が記憶されている。
【００２２】
印刷サイト１４内には、ネットワーク１６とＬＡＮ３０との間の接続を中継する機器であるルータ３２と、生産担当者が取り扱う工場側端末装置３４と、印刷ジョブを管理する印刷管理サーバ３６と、面付け処理がなされた製版データ等に対してＲＩＰ（Raster Image Processing）処理を施すプリントサーバ３８と、プリントサーバ３８からの印刷用データに基づいて印刷物４０を出力する印刷装置４２とがそれぞれ配置されている。工場側端末装置３４、印刷管理サーバ３６及びプリントサーバ３８は、印刷サイト１４内に構築されたＬＡＮ３０を介して相互に通信可能に接続されている。
【００２３】
印刷管理サーバ３６は、印刷物生産システム１０におけるワークフロー管理の中核をなす装置である。本図例では、印刷管理サーバ３６は、第２サーバ本体４４と、第２サーバ本体４４に接続された第２ストレージ装置４６とから構成される。第２ストレージ装置４６には、例えば、コンテンツデータ、出力用データ（例えば、製版用データ、刷版用データ、又は校正用データ）、ジョブチケット｛例えば、ＪＤＦ（Job Definition Format）ファイル｝、カラープロファイル、色見本データ等が記憶されている。
【００２４】
印刷装置４２は、印刷媒体４８上に画像を形成することで印刷物４０を出力する装置である。印刷媒体４８の種類として、合成紙・厚紙・アルミ蒸着紙等の紙類のみならず、塩化ビニル・ＰＥＴ（ポリエチレンテレフタラート）等の樹脂、ターポリン、金属シート等が存在する。
【００２５】
印刷装置４２が校正機である場合、ＤＤＣＰ（Direct Digital Color Proofing）、インクジェットカラープルーファ、低解像度のカラーレーザプリンタ（電子写真方式）又はインクジェットプリンタ等を用いてもよい。
【００２６】
印刷装置４２が凸版印刷機である場合、刷版５０及び図示しない中間転写体を介してインキを付着させることで、印刷媒体４８上に画像が形成された印刷物４０を出力する。
【００２７】
印刷装置４２がデジタル印刷機の場合、刷版５０を生成することなく直接的に印刷物４０を出力可能である。デジタル印刷機としては、インクジェット印刷機、ワイドフォーマット印刷機、インクジェットカラープルーファ、カラーレーザプリンタ等を用いてもよい。
【００２８】
［営業側端末装置２２の電気的なブロック図］
図２は、図１に示す営業側端末装置２２の電気的なブロック図である。営業側端末装置２２は、基本的には、制御部５２と、通信Ｉ／Ｆ５４と、入力部５６と、表示部５８と、メモリ６０（記憶媒体）を備えるコンピュータである。
【００２９】
通信Ｉ／Ｆ５４は、外部装置からの電気信号を送受信するインターフェースである。これにより、営業側端末装置２２は、各種データ（例えば、製本情報６４）を受注サーバ２４（図１）から取得可能であり、各種データ（例えば、台割テーブル６６）を受注サーバ２４に供給可能である。
【００３０】
入力部５６は、マウス、トラックボール、キーボード、タッチセンサ等の種々の入力デバイスで構成される。表示部５８は、液晶、有機ＥＬ（electro-luminescence）、陰極線管（ＣＲＴ）を含む、種々の方式を採用する出力デバイスで構成される。ここで、入力部５６による入力機能及び表示部５８による表示機能を組み合わせることで、現在の表示内容を視認しながらパラメータの各値を入力可能であるユーザ・インターフェース部６２を実現する。
【００３１】
メモリ６０は、制御部５２が各構成要素を制御するのに必要なプログラム及びデータ等を記憶している。本図例では、製本に関する情報である製本情報６４、及び、台割表を示すテーブルデータである台割テーブル６６がそれぞれ格納されている。
【００３２】
メモリ６０は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３３】
制御部５２は、ＣＰＵ（Central Processing Unit）等の情報処理装置（いわゆるプロセッサ）によって構成されている。制御部５２は、メモリ６０に格納されたプログラムを読み出し実行することで、製本情報６４を取得する製本情報取得部６８、台割テーブル６６を生成する台割テーブル生成部７０、及び、ウィンドウＷ１（図４）、Ｗ２（図５）、Ｗ３（図８〜図１２）の表示に供される表示用データを作成する表示用データ作成部７２（画面作成部７４、入力内容取得部７６を含む）の各機能を実現可能である。
【００３４】
［営業側端末装置２２の動作］
この実施形態に係る台割表決定装置としての営業側端末装置２２は、以上のように構成される。続いて、図２に示す営業側端末装置２２の動作について、図３のフローチャートを主に参照しながら詳細に説明する。
【００３５】
ステップＳ１において、営業側端末装置２２は、印刷ジョブの新規作成に関する第１入力画面８０を表示部５８に表示させる。表示に先立ち、画面作成部７４は、ウィンドウＷ１（第１入力画面８０を含む）の表示用データを作成し、該表示用データを表示部５８に向けて出力する。これにより、表示部５８には、第１入力画面８０を含むウィンドウＷ１が表示される。
【００３６】
図４に示すように、第１入力画面８０上には、６個のユーザ・コントロール８１〜８６、［ジョブ作成］と表記されたボタン８７、及び［台割表編集］と表記されたボタン８８が配置されている。
【００３７】
「ジョブＩＤ」に相当するユーザ・コントロール８１は、印刷ジョブの識別情報（具体的には、数字）を入力可能に構成されている。「ジョブテンプレート」に相当するユーザ・コントロール８２は、印刷ジョブのテンプレート（具体的には、呼び出し対象のテンプレート名）を入力可能に構成されている。「ジョブ名」に相当するユーザ・コントロール８３は、印刷ジョブの名称を入力可能に構成されている。
【００３８】
「納期」に相当するユーザ・コントロール８４は、印刷物４０の納期（例えば、年月日）を入力可能に構成されている。「顧客ＩＤ」に相当するユーザ・コントロール８５は、顧客の識別情報（任意の形式）を入力可能に構成されている。「備考」に相当するユーザ・コントロール８６は、この印刷ジョブに関する特記事項（任意の形式）を入力可能に構成されている。
【００３９】
ユーザとしての作業者は、入力部５６（図２）を操作させながら各ユーザ・コントロール８１〜８６を介して種々の設定を行う。そして、制御部５２は、第１入力画面８０上にある［台割表編集］ボタン８８のクリック操作を受け付けた場合、次のステップ（Ｓ２）に進む。
【００４０】
ステップＳ２において、営業側端末装置２２は、製本形態の基本設定に関する第２入力画面１００を表示部５８に表示させる。表示に先立ち、画面作成部７４は、ウィンドウＷ２（第２入力画面１００を含む）の表示用データを作成し、該表示用データを表示部５８に向けて出力する。これにより、表示部５８には、第２入力画面１００を含むウィンドウＷ２が表示される。
【００４１】
図５に示すように、第２入力画面１００上には、１７個のユーザ・コントロール１０１〜１１７、及び［更新］と表記されたボタン１１８が配置されている。
【００４２】
「本体ページ数」に相当するユーザ・コントロール１０１は、製本の本体ページ数（具体的には、数字）を入力可能に構成されている。「カバーあり」に相当するユーザ・コントロール１０２は、カバーの有無を選択的に入力可能に構成されている。「ページサイズ」に相当するユーザ・コントロール１０３は、ページのサイズ（例えば、Ａ４判）を入力可能に構成されている。「初期シートサイズ」に相当するユーザ・コントロール１０４は、シートサイズの初期値（例えば、単位はｍｍ）を入力可能に構成されている。
【００４３】
「初期カラー」に相当するユーザ・コントロール１０５、１０６は、「本体」及び「カバー」におけるカラーチャンネルの初期値（例えば、モノクロの場合は「１Ｃ」、カラーの場合は「４Ｃ」）を入力可能に構成されている。「針側」に相当するユーザ・コントロール１０７は、針側の揃え位置（「左」又は「右」）を入力可能に構成されている。「咥え側」に相当するユーザ・コントロール１０８は、咥え側の揃え位置（「上」又は「下」）を入力可能に構成されている。
【００４４】
「ブリード」に相当するユーザ・コントロール１１０〜１１３は、「天」、「地」、「背」及び「小口」におけるブリードの初期値（例えば、単位はｍｍ）を入力可能に構成されている。「ノド」に相当するユーザ・コントロール１１４〜１１７は、「天」、「地」、「背」及び「小口」におけるノド空きの初期値（例えば、単位はｍｍ）を入力可能に構成されている。
【００４５】
ユーザとしての作業者は、入力部５６（図２）を操作させながら各ユーザ・コントロール１０１〜１１７を介して種々の設定を行う。そして、制御部５２は、第２入力画面１００上にある［更新］ボタン１１８のクリック操作を受け付けた場合、次のステップ（Ｓ３）に進む。
【００４６】
ステップＳ３において、製本情報取得部６８は、作成しようとする台割表のフォーマットを特定するのに必要な製本情報６４を取得する。具体的には、製本情報取得部６８は、製本情報６４として、第２入力画面１００（図５）上のユーザ・コントロール１０１〜１０６、１０９にて設定・入力された各値を取得する。或いは、製本情報取得部６８は、受注サーバ２４にて管理された受注情報を、製本情報６４の一部として取得してもよい。
【００４７】
ステップＳ４において、画面作成部７４は、ステップＳ３で取得された製本情報６４に基づいて台割表のフォーマット及び初期値を特定し、台割表画面１２０及び面付け画面１４０を作成する。ここで、台割表画面１２０は、製本情報６４にて特定されるフォーマットの台割表を模擬する画面である。また、面付け画面１４０は、上記した台割表に則った面付け配置を模擬する画面である。
【００４８】
図６は、台割表画面１２０を示す画像図である。この台割表画面１２０は、印刷物４０（図１）における台割表を示す台割表画像１２２で主に構成される。台割表画像１２２の上方には、台割表画像１２２の描画内容を切り替えて表示するためのタブ１２４が配置されている。
【００４９】
台割表画像１２２上の各行には、ページ毎の項目内容が表記されている。具体的には、ページの識別番号（本図例では「ページ」）を示す小欄１２６、ノンブルを示す小欄１２７、カラーチャンネル（本図例では「カラー」）を示す小欄１２８、印刷媒体４８の種類（本図例では「紙種」）を示す小欄１２９、印刷媒体４８のサイズ（本図例では「サイズ」）を示す小欄１３０、折り丁の識別番号（本図例では「折り丁」）を示す小欄１３１、及びシートの識別番号（本図例では「シート」）を示す小欄１３２がそれぞれ設けられている。
【００５０】
なお、台割表を構成する項目の種類及び個数は、図６の例に限られず、必要に応じて適宜変更してもよい。項目の種類として、他には、印刷媒体４８の重量（一般的には、坪量・連量）、印刷媒体４８の厚さ、又はパーツの種類（本体／カバー）が挙げられる。
【００５１】
図７は、面付け画面１４０を示す画像図である。この面付け画面１４０は、面付け情報の一部を示す文字情報１４２と、ページ配置を模式的に示すレイアウト画像１４４とから構成される。文字情報１４２には、上から順に、「シート」、「サイズ」、「紙種」及び「カラー」の内容が表記されている。
【００５２】
本図例では、カバー（１枚のシート）及び本体（２枚のシート）に関する３枚分の面付け情報が表記されている。換言すれば、文字情報１４２は、「シート１」に関するサブ情報１４２ａ、「シート２」に関するサブ情報１４２ｂ、及び「シート３」に関するサブ情報１４２ｃからなる。また、レイアウト画像１４４は、「シート１」に関するサブ画像１４４ａ、「シート２」に関するサブ画像１４４ｂ、及び「シート３」に関するサブ画像１４４ｃからなる。
【００５３】
ステップＳ５において、ステップＳ４でそれぞれ作成された台割表画面１２０及び面付け画面１４０を同時に表示させる。表示に先立ち、表示用データ作成部７２は、ウィンドウＷ３（台割表編集画面１５０を含む）の表示用データを作成し、該表示用データを表示部５８に向けて出力する。これにより、表示部５８には、台割表編集画面１５０を含むウィンドウＷ３が表示される。
【００５４】
なお、画面作成部７４が作成する表示用データは、応用ソフトウェアを介して作成された画像データであってもよい。また、表示用データは、これに代わって、基本ソフトウェアが提供するＡＰＩ（Application Programming Interface）のグラフィック機能を利用するための各種パラメータであってもよい。
【００５５】
図８に示すように、台割表編集画面１５０には、図６の台割表画面１２０、図７の面付け画面１４０の他、[製本設定]と表記されたタブ１５２、及び、［ＯＫ］と表記されたタブ１５４がそれぞれ配置されている。なお、本図（図８）及び後述する図９〜図１２に関して、図示の便宜のため、面付け画面１４０のうち文字情報１４２を省略して表記する点に留意する。
【００５６】
本図から理解されるように、台割表画面１２０及び面付け画面１４０は、左右方向に並んで配置されている。そして、台割表画面１２０内の項目内容は、面付け画面１４０内の描画内容と整合する。換言すれば、台割表画面１２０が示す台割表から面付け画面１４０が示す面付け配置を決定できると共に、面付け画面１４０が示す面付け配置から台割表画面１２０が示す台割表を決定できる。
【００５７】
ステップＳ６において、制御部５２は、台割表の項目内容を決定する操作を受け付けたか否かを判別する。具体的には、制御部５２は、台割表編集画面１５０上にある［ＯＫ］タブ１５４のクリック操作を受け付けたか否かで判別する。操作がなかったと判別された場合（ステップＳ６：ＮＯ）、次のステップ（Ｓ７）に進む。
【００５８】
ステップＳ７において、入力内容取得部７６は、台割表編集画面１５０上における現在の入力内容を取得する。ここで、台割表画面１２０及び面付け画面１４０の表示内容が整合している限り、項目内容及び描画内容のどちらか一方、或いは両方を取得してもよい。
【００５９】
ステップＳ８において、営業側端末装置２２は、ステップＳ７にて得た入力内容に従って台割表編集画面１５０を更新する。具体的には、画面作成部７４は、台割表の項目内容を更新した台割表画面１２０、及び、面付け配置の描画内容を更新した面付け画面１４０を新たに作成する。これにより、営業側端末装置２２は、入力内容の変更に追従した台割表編集画面１５０を表示する。
【００６０】
その後、ステップＳ６に戻って、決定操作を受け付けるまでステップＳ６〜Ｓ８を順次繰り返す。以下、台割表編集画面１５０を介した編集方法の具体例について、図９〜図１２を参照しながら説明する。
【００６１】
作業者は、ユーザ・インターフェース部６２を介して、サブ画像１４４ｂが配置された位置にカーソル１６０を移動させる（図８参照）。そうすると、画面作成部７４は、サブ画像１４４ｂに対応する「シート２」を選択した状態をそれぞれ示す台割表画面１２０及び面付け画面１４０を新たに作成する。
【００６２】
図９に示すように、台割表画面１２０及び面付け画面１４０の描画内容は、図８の描画内容と一部異なっている。具体的には、台割表画面１２０内の台割表画像１２２の一部には、視覚的に強調表示された特定領域１６２が存在する。この特定領域１６２は、小欄１３２の項目内容が「シート２」である１６行分を網羅する。これにより、作業者は、台割表画面１２０を視認することで「シート２」が現在選択されていることを一見して把握できる。
【００６３】
また、面付け画面１４０内のサブ画像１４４ｂ上には、「シート２」における面付け配置を変更するためのメニューボックス１６４が重ねて表示される。メニューボックス１６４は、左から右の順に、「（面付けの）パターン」、「サイズ」、「紙種」及び「カラー」を選択するためのプルダウンメニュー１６５、１６６、１６７、１６８から構成される。
【００６４】
作業者は、ユーザ・インターフェース部６２を介して、プルダウンメニュー１６７の位置にカーソル１６０を移動させた後、「非コート」を選択するドラッグ操作を行う。そうすると、画面作成部７４は、「シート２」の紙種として、「非コート」を選択した状態をそれぞれ示す台割表画面１２０及び面付け画面１４０を新たに作成する。
【００６５】
図１０に示すように、台割表画面１２０及び面付け画面１４０の描画内容は、図９の描画内容と一部異なっている。具体的には、台割表画面１２０内の台割表画像１２２の一部には、視覚的に強調表示された特定領域１７０が存在する。この特定領域１７０は、小欄１２９の項目内容が「非コート」に変更された１６個分のセルを網羅する。これにより、作業者は、台割表画面１２０を視認することで「シート２」の「紙種」が変更されたことを一見して把握できる。
【００６６】
図９に戻って、作業者は、ユーザ・インターフェース部６２を介して、他の面付け条件（一例として、サイズ）を変更可能である。具体的には、作業者は、プルダウンメニュー１６６の位置にカーソル１６０を移動させた後、別のサイズ「６３６×４６９」を選択するドラッグ操作を行ったとする。
【００６７】
図１１に示すように、台割表画面１２０及び面付け画面１４０の描画内容は、図９の描画内容と一部異なっている。具体的には、台割表画面１２０内の台割表画像１２２のうち、小欄１３０〜１３２の項目内容の一部が変更されている。また、面付け画面１４０内には、８面付けを示すサブ画像１４４ｂ、１４４ｃに代わって、２面付けを示すサブ画像１４４ｄ〜１４４ｆが新たに配置されている。これにより、作業者は、台割表画面１２０又は面付け画面１４０を視認することで、「１枚分の８面付け」が「４枚分の２面付け」に分割・置換されたことを一見して把握できる。
【００６８】
また、作業者は、ユーザ・インターフェース部６２を介して、台割表のフォーマットを変更可能である。具体的には、作業者は、タブ１２４の切り替え操作（例えば、［ＷＦ２］のクリック操作）を行ったとする。そうすると、画面作成部７４は、図８〜図１１に示す全体フォーマットの部分集合であるサブフォーマットの台割表を模擬する台割表画面１２０を新たに作成する。
【００６９】
図１２に示すように、台割表画面１２０及び面付け画面１４０の描画内容は、図１１の描画内容と一部異なっている。具体的には、台割表画面１２０内の台割表画像１２２は、３つのキー項目、具体的には「カラー」、「紙種」及び「サイズ」が共通するページのみで構成されている。これにより、作業者は、ワークフロー単位での台割表を容易に確認できるので便宜である。
【００７０】
なお、サブフォーマットの構成は図１２の例に限られず、種々の組み合わせを採り得る。例えば、画面作成部７４は、カラーチャンネル、パーツの種類、又は、印刷媒体４８の種類、重量、サイズ若しくは厚さのうち少なくとも２つのキー項目で構成されるサブフォーマットの台割表画面１２０を作成してもよい。
【００７１】
このようにして、作業者は、台割表編集画面１５０を確認しながら、印刷物４０に適した台割表の作成・編集を行う。なお、［製本設定］タブ１５２（図８〜図１２参照）のクリック操作に応じて、ウィンドウＷ２（図５）を呼び出し可能に構成することで、製本情報６４の内容を再設定できる。
【００７２】
画面作成部７４は、作業者による所定の操作に応じて、表示部５８に表示されている面付け画面１４０内の描画内容の変更を受け付けた場合、この変更を同時に反映させた台割表画面１２０及び面付け画面１４０を作成する。また、詳細な説明を省略したが、ユーザ・コントロールを介して台割表画面１２０内の項目内容を変更した場合であっても、画面作成部７４は、この変更を同時に反映させた台割表画面１２０及び面付け画面１４０を作成する。
【００７３】
図３のステップＳ６に戻って、制御部５２は、台割表の項目内容を決定する操作を受け付けた場合（ステップＳ６：ＹＥＳ）にステップＳ９に進む。
【００７４】
ステップＳ９において、台割テーブル生成部７０は、ステップＳ６にて決定操作を受け付けた際に表示される、台割表画面１２０内の項目内容を取得することで、台割表を示すテーブルデータを生成する。そして、台割テーブル生成部７０は、作成したテーブルデータを、台割テーブル６６としてメモリ６０に格納・保存させる。その後、営業側端末装置２２は、受注サーバ２４又は印刷管理サーバ３６に保管させるため、台割テーブル６６を通信Ｉ／Ｆ５４を介して外部に送出してもよい。
【００７５】
［この実施形態による効果］
以上のように、この実施形態に係る台割表決定装置としての営業側端末装置２２は、製本の形態に関する製本情報６４を取得する製本情報取得部６８と、製本情報６４にて特定されるフォーマットの台割表を模擬する台割表画面１２０、及び台割表に則った面付け配置を模擬する面付け画面１４０を作成する画面作成部７４と、台割表画面１２０及び面付け画面１４０を同時に表示する表示部５８を備える。
【００７６】
そして、画面作成部７４は、ユーザによる操作に応じて、表示されている台割表画面１２０内の項目内容及び面付け画面１４０内の描画内容のうちのいずれか一方の変更を受け付けた場合、該変更を同時に反映させた台割表画面１２０及び面付け画面１４０を作成する。
【００７７】
このように構成しているので、ユーザは、台割表及び面付け配置を一度に視認することで、両者の対応関係を直感的に把握できると共に、両者の変更結果を逐次に把握できる。これにより、台割表の取扱いが苦手なユーザに対して作成の支援ができる。
【００７８】
［補足］
なお、この発明は、上述した実施形態に限定されるものではなく、この発明の主旨を逸脱しない範囲で自由に変更できることは勿論である。
【符号の説明】
【００７９】
１０…印刷物生産システム                  １２…営業サイト
１４…印刷サイト                          ２２…営業側端末装置
２４…受注サーバ                          ３４…工場側端末装置
３６…印刷管理サーバ                      ４０…印刷物
４２…印刷装置                            ４８…印刷媒体
５２…制御部                              ５６…入力部
５８…表示部                              ６０…メモリ
６２…ユーザ・インターフェース部          ６４…製本情報
６６…台割テーブル                        ６８…製本情報取得部
７０…台割テーブル作成部                  ７２…表示用データ作成部
７４…画面作成部                          ７６…入力内容取得部
８０…第１入力画面                        １００…第２入力画面
１２０…台割表画面                        １２２…台割表画像
１４０…面付け画面                        １４２…文字情報
１４４…レイアウト画像                    Ｗ１〜Ｗ３…ウィンドウ
【図１】
0005938430.tif 000002
【図２】
0005938430.tif 000003
【図３】
0005938430.tif 000004
【図４】
0005938430.tif 000005
【図５】
0005938430.tif 000006
【図６】
0005938430.tif 000007
【図７】
0005938430.tif 000008
【図８】
0005938430.tif 000009
【図９】
0005938430.tif 000010
【図１０】
0005938430.tif 000011
【図１１】
0005938430.tif 000012
【図１２】
0005938430.tif 000013